(57)【要約】【課題】  レンズ群の光軸に対する傾きの調整が、簡単に、かつ高精度に行なえるようにする。【解決手段】  レンズ支持枠４５は、第２レンズ４４を支持する鏡室部４６と、この鏡室部４６の円筒部４６ａに嵌合して支持する移動枠４７とからなる。鏡室部４６の後端面４６ｃには、光軸２１の先端側と後端側とにそれぞれ傾斜された複数の傾斜面を有する突条部６５〜６７が回転方向に等間隔で設けられている。移動枠４７の先端面には、鏡室部４６の各突条６５〜６７にそれぞれ当接する当接部６８〜７０が設けられている。鏡室部４６を移動枠４７に取り付けて回動させると、突条部６５〜６７の各傾斜面と当接部６８〜７０との当接により、鏡室部４６の各当接部６８〜７０に対面する部分が光軸２１方向に移動し、光軸２１に対する第２レンズ４４の傾きが変化する。【選択図】        図３
2006023360.tif 000002
【特許請求の範囲】
【請求項１】
少なくとも一枚のレンズと、
このレンズを支持するとともに外周に複数のカムフォロワが形成されたレンズ支持枠とからなる複数のレンズ群と、
各レンズ群のカムフォロワが係合する複数のカム溝が設けられたカム筒とを備え、
カム筒の回転によってカム溝でカムフォロワを押圧し、各レンズ群を光軸方向に移動させるレンズ装置において、
前記レンズ支持枠は、レンズを支持する鏡室部と、
この鏡室部を支持するとともに外周に複数のカムフォロワが形成された移動枠とからなり、
該鏡室部と移動枠とのいずれか一方に、光軸方向に沿って傾斜された面を有し、かつ光軸を中心とする回転方向に沿って配置された突条部を設け、他方に突条部に当接する当接部を設けたことを特徴とするレンズ装置のレンズ支持枠。
【請求項２】
前記突条部及び当接部は、回転方向において、等間隔で複数位置に設けられていることを特徴とする請求項１記載のレンズ装置のレンズ支持枠。
【請求項３】
前記突条部は、傾斜方向の異なる複数の傾斜面が、回転方向に沿って連続して配列されてなることを特徴とする請求項１または２記載のレンズ装置のレンズ支持枠。
【請求項４】
前記各突条部の各傾斜面のいずれか一つは、他の突条部の対応する傾斜面と反対の光軸方向に傾斜されていることを特徴とする請求項３記載のレンズ装置のレンズ支持枠。
【請求項５】
前記鏡室部と移動枠とを該鏡室部が光軸方向に沿って移動できるように仮結合する仮結合手段を設けたことを特徴とする請求項１ないし４いずれか記載のレンズ装置のレンズ支持枠。
【請求項６】
前記仮結合手段は、鏡室部と移動枠とのいずれか一方に形成された係合部と、他方に形成されて係合部に係合される被係合部とからなることを特徴とする請求項５記載のレンズ装置のレンズ支持枠。
【請求項７】
前記仮結合手段は、鏡室部と移動枠との対応する位置にそれぞれ形成された被挟持部と、これらの被挟持部を光軸方向において弾性自在に挟み込む弾性部材とからなることを特徴とする請求項５記載のレンズ装置のレンズ支持枠。
【請求項８】
前記鏡室部と移動枠とは、接着剤によって本結合されることを特徴とする請求項１ないし７いずれか記載のレンズ装置のレンズ支持枠。
【請求項９】
前記移動枠に、光軸から放射状に配置された複数のネジ穴を形成し、このネジ穴に螺合されたネジの先端を鏡室部の外周面に突き当てることによって、鏡室部と移動枠とを本結合することを特徴とする請求項１ないし７いずれか記載のレンズ装置のレンズ支持枠。
【請求項１０】
請求項１ないし９いずれか記載のレンズ装置のレンズ支持枠において、
前記カム筒内に組み込まれた移動枠にレンズを支持した鏡室部を組み込み、該鏡室部を移動枠内で回動させることによって、各突条部と各当接部との当接により、鏡室部を光軸方向で移動させることを特徴とするレンズ支持枠の調整方法。
【請求項１１】
前記突条部と当接部とによる調整の後に、移動枠に螺合されたネジの鏡室部への突き当て量を加減することによって、調整及び移動枠と鏡室部との本結合とを行なうことを特徴とする請求項１０記載のレンズ支持枠の調整方法。
【発明の詳細な説明】
【技術分野】
【０００１】
本発明は、カム筒内に複数のレンズ群を組み込み、カム筒の回転によってレンズ群を光軸方向に移動させるようにしたレンズ装置に関し、更に詳しくは、レンズを支持するレンズ支持枠の構造と調整方法との改良に関するものである。
【背景技術】
【０００２】
１本のレンズ装置で異なる焦点距離を得ることのできるズームレンズ装置が、従来からカメラやプロジェクタ等の光学製品に使用されている。このズームレンズ装置は、例えば特許文献１に記載されているように、鏡胴内に複数のレンズ群を組み込み、これらのレンズ群を光軸方向に沿って移動させることによって、変倍とピント合わせとを行なっている。
【０００３】
各レンズ群は、少なくとも１枚のレンズと、このレンズを支持する円環状のレンズ支持枠とからなる。レンズ支持枠の外周には、例えば３個のピン形状のカムフォロワが放射状に等角度で立設されている。鏡胴は、レンズ支持枠のカムフォロワが挿入される複数のカム溝が曲線状に形成されたズームカム筒と、光軸方向に沿った直線状のカム溝が複数形成された固定筒とからなり、ズームカム筒を回転させることによって曲線状のカム溝にカムフォロワが押され、直線状のカム溝に沿って各レンズ群が光軸方向に移動する。
【０００４】
ズームレンズ装置において高い画質を得るには、光軸に対する各レンズ群の傾きを小さくしなければならない。特許文献１記載のズームレンズ装置では、３本のカムフォロワに偏芯ローラを取り付け、レンズ支持枠がズームカム筒と固定筒とに取り付けられた状態で偏芯ローラを回転させ、カム溝とカムフォロワとの当接状態を変化させることにより、各レンズ群の光軸に対する傾きを調整していた。
【０００５】
また、レンズ支持枠をレンズを支持する鏡室部と、この鏡室部を支持するとともに外周に複数のカムフォロワが設けられた移動枠とから構成することが考えられている。この構造のレンズ支持枠では、鏡室部と移動枠との間で鏡室部の取り付け状態を調整することができるため、例えば、移動枠の外周から螺合された複数本のネジを鏡室部の外周に突き当て、各ネジの突出量を加減することにより、光軸に対するレンズの傾きを調整することができる。
【０００６】
【特許文献１】特開２００３−２０２４７９号公報
【発明の開示】
【発明が解決しようとする課題】
【０００７】
しかし、特許文献１記載の偏芯ローラを用いた調整方法では、３本のカムフォロワのうちのどの偏芯ローラを回転させるかにより、レンズ支持枠のどの部分がどちらの方向にどれほどの量だけ移動したのかを管理及び制御することが難しく、その作業には時間がかかり、コストアップの要因となっていた。
【０００８】
また、移動枠の外周からネジを突き当てる調整方法では、一方のネジを突出させたときに、他方のネジを引っ込ませなければならないため、調整が困難であった。また、全てのネジの突き当て量を加減することで移動枠を歪ませて調整することもできるが、移動枠が衝撃や経時等により変形し、カム溝とカムフォロワとの摺動に悪影響を及ぼすことも考えられる。
【０００９】
本発明は、上記問題点を解決するためのもので、レンズ群の光軸に対する傾きの調整が、簡単に、かつ高精度に行なえるようにすることを目的とする。
【課題を解決するための手段】
【００１０】
上記目的を達成するために、本発明のレンズ装置のレンズ支持枠は、レンズを支持する鏡室部と、この鏡室部を支持し、かつ外周に複数のカムフォロワが形成された移動枠とから構成した。また、鏡室部と移動枠とのいずれか一方に、光軸方向に沿って傾斜された面を有し、かつ光軸を中心とする回転方向に沿って配置された突条部を設け、他方には、突条部に当接する当接部を設けた。
【００１１】
また、突条部と当接部とを回転方向において、等間隔で複数位置に設けた。更に、突条部は、回転方向に沿って連続して配列された傾斜方向の異なる複数の傾斜面から構成した。また、各突条部の各傾斜面のいずれか一つは、他の突条部の対応する傾斜面と反対の光軸方向に傾斜させた。
【００１２】
更に、鏡室部と移動枠とのいずれか一方に形成された係合部と、他方に形成された被係合部とを係合させたり、あるいは、鏡室部と移動枠とのそれぞれ形成された被挟持部を弾性部材によって挟み込むことによって、両者を仮結合させるようにした。また、鏡室部と移動枠との本結合には、接着剤やネジを用いて行なうようにした。
【００１３】
また、本発明のレンズ支持枠の調整方法は、カム筒内に組み込まれた移動枠にレンズを支持した鏡室部を組み込み、この鏡室部を移動枠内で回動させることによって、各突条部と各当接部との当接により、鏡室部を光軸方向で移動させるようにした。また、この調整の後に、移動枠に螺合されたネジの鏡室部への突き当て量を加減することによって、更なる調整と、移動枠と鏡室部との本結合とを行なうようにした。
【発明の効果】
【００１４】
本発明のレンズ支持枠及びその調整方法によれば、突条部と当接部との当接状態を確認することにより、鏡室部のどの部分がどちらの方向にどれだけ移動したのかを知ることができる。また、鏡室部を回動させるだけで調整を行なうことができるので、複雑な装置や作業に対する熟練等は必要ない。これらにより、レンズ群の傾き調整の作業を簡単に、短時間で高精度に行なうことができるので、レンズ装置のコストを低減させ、かつ生産性を向上させることができる。また、各レンズ群の傾き調整を高精度に行なうことができるので、これを前提とした難易度の高いレンズ設計も可能となる。
【００１５】
更に、鏡室部と移動枠との間に仮結合手段を設けたので、調整途中で鏡室部から手を離しても、それまでの調整が無駄になることがなく、作業効率の向上に資することができる。また、突条部と当接部とによる調整の後に、移動枠に螺合されたネジによって鏡室部の傾きを更に調整することができるため、広い調整範囲を得ることができる。
【発明を実施するための最良の形態】
【００１６】
図１は、プロジェクターの画像投映ユニットを示している。画像投映ユニット２は、ズームレンズ装置３、ダイクロイックプリズム４、ＬＣＤ等の透過型画像表示器５、及び投映ランプ６で構成されている。投映ランプ６から放射された光は、透過型画像表示器５を透過してダイクロイックプリズム４に入射する。透過型画像表示器５に表示されたＲＧＢ系の３原色の画像は、ダイクロイックプリズム４により合成され、ズームレンズ装置３によってスクリーン等に投映される。
【００１７】
ズームレンズ装置３は、フォーカス機能を備えたフロントコンバーターとして作用する第１レンズ群９と、バリエーターとして作用する第２レンズ群１０と、コンペンセーターとして作用する第３レンズ群１１と、リレーレンズとして作用する第４レンズ群１２と、固定筒１４，フォーカス筒１５，リレー筒１６，外装筒１７，フォーカスリング１８，ズームカム筒１９，ズームリング２０等から構成されている。変倍は、第２レンズ群１０と第３レンズ群１１とが光軸２１の方向に移動することによって行なわれ、フォーカシングは、第１レンズ群９が光軸２１の方向に移動することによって行なわれる。
【００１８】
図２に示すように、固定筒１４には、回転方向に沿う形状の回転カム溝２４と、光軸２１方向に沿う形状の直進カム溝２５とが、光軸２１を中心とする回転方向において１２０°の等角度で３個ずつ形成されている。固定筒１４の前端と後端とには、第１レンズ群９と第４レンズ群１２とが取り付けられる。第１レンズ群９は、第１レンズ９ａとこれを支持するフォーカス筒１５とからなる。第４レンズ群１２は、第４レンズ１２ａ，１２ｂと、これらを支持するリレー筒１６とからなる。外装筒１７は、固定筒１４の外周に図示しないネジによって取り付けられて固定筒１４とリレー筒１６とを覆う。このズームレンズ装置３は、外装筒１７によってプロジェクタに取り付けられる。
【００１９】
固定筒１４の先端内周には、雄ヘリコイド２８が形成されており、フォーカス筒１５の後端外周には、雄ヘリコイド２８に噛合する雌ヘリコイド３０が形成されている。そのため、フォーカス筒１５の外周に図示しないネジによって取り付けられたフォーカスリング１８を利用してフォーカス筒１５を回転させると、ヘリコイドのリードによって第１レンズ群９が光軸方向に進退し、フォーカス調整が行なわれる。なお、フォーカス筒１５は、図示しないネジによって、固定筒１４から抜け落ちないように抜け止めされている。
【００２０】
固定筒１４内には、ズームカム筒１９が回転自在に収納される。ズームカム筒１９の外周には、固定筒１４の回転カム溝２４内に挿入される３個のカムフォロワ３３が取り付けられる。各カムフォロワ３３は、ズームカム筒１９の外周にネジ３４によって固定されるカムピン３５と、このカムピン３５とネジ３４との間に回転自在に保持されるカムローラー３６とからなる。カムローラー３６は、回転カム溝２４内でカムフォロワ３３が移動しやすくなるように回転する。また、各カムフォロワ３３は、固定筒１４の回転カム溝２４から外側に突出され、固定筒１４の外側に配置されるズームリング２０に係合される。そのため、ズームカム筒１９は、ズームリング２０の回転によって固定筒１４内で回転される。
【００２１】
ズームカム筒１９の外周には、第２レンズ群１０と第３レンズ群１１とを光軸方向に移動させるために用いられる一対のズームカム溝３８，３９が、回転方向において１２０°の等角度で３組形成されている。第２レンズ群１０と第３レンズ群１１とは、レンズ支持枠４５，４９の外周に３個のカムフォロワ４０，４１がそれぞれ形成されている。これらのカムフォロワ４０，４１は、ズームカム筒１９のズームカム溝３８，３９と、固定筒１４の直進カム溝２５とに挿入される。
【００２２】
ズームリング２０によってズームカム筒１９が回転されると、ズームカム溝３８，３９が第２レンズ群１０と第３レンズ群１１のカムフォロワ４０，４１を押圧する。ズームカム溝３８，３９によって押圧された各カムフォロワ４０，４１は、直進カム溝２５によって第２レンズ群１０及び第３レンズ群１１を光軸２１方向に沿って移動させ、変倍を行なう。なお、このズームレンズ装置３は、ズームリング２０から先の部分が外部に露呈されるようにプロジェクタ本体に取り付けられる。そして、ズームリング２０とフォーカスリング１８とが手動で操作されることにより、変倍とピント合わせとが行なわれる。
【００２３】
図３に示すように、第２レンズ群１０は、第２レンズ４４と、この第２レンズ４４を保持するレンズ支持枠４５と、このレンズ支持枠４５の外周に等角度をおいて取り付けられる３個のカムフォロワ４０とからなる。レンズ支持枠４５は、第２レンズ４４を支持する筒状の鏡室部４６と、この鏡室部４６をズームカム筒１９内で支持する移動枠４７とからなる。両者は、移動枠４７の内径部４７ａ内に鏡室部４６の円筒部４６ａが嵌合されることによって結合される。
【００２４】
移動枠４７の外周には、カムフォロワ４０が取り付けられるカム用ボス５０が、直進カム溝２５に合わせて１２０°の等間隔で３個設けられている。カムフォロワ４０は、カム用ボス５０にネジ５１によって取り付けられるカムピン５２と、このカムピン５２とネジ５１との間に回転自在に保持される二つのカムローラー５３，５４とからなる。各カムローラー５３，５４は、固定筒１４の直進カム溝２５と、ズームカム筒１９のズームカム溝３８，３９との摺動をスムーズにする。
【００２５】
移動枠４７の外周面で、各カム用ボス５０の間には、移動枠４７と鏡室部４６との仮結合に用いられる係合爪５７と、移動枠４７と鏡室部４６との本結合に用いられる結合用ボス５８とが、回転方向において１２０°の等間隔で３個ずつ設けられている。
【００２６】
図４の要部断面図に示すように、係合爪５７は、移動枠４７の外周面に放射状に立設された突出片５９から光軸２１方向に向けて弾性自在に突設されたものである。これらの係合爪５７が、鏡室部４６の円筒部４６ｂの外周面に設けられた突条形状の被係合部６０に係合することによって、鏡室部４６を移動枠４７に仮止めする。被係合部６０は、鏡室部４６の回転方向の組付位置がずれていても係合爪５７との係合が行なえるように突条形状とされており、係合爪５７に合わせて回転方向に１２０°の等間隔で３個設けられている。
【００２７】
図５の要部断面図に示すように、結合用ボス５８は、光軸２１から放射状に配置された円筒形状をしている。鏡室部４６と移動枠４７とが係合爪５７によって仮結合された後に、各結合用ボス５８の穴５８ａに接着剤６２を流し込むことによって、鏡室部４６と移動枠４７とがずれ動かないように結合する。なお、接着剤６２による鏡室部４６と移動枠４７との結合は、両者が固定筒１４及びズームカム筒１９内に組み込まれた状態で行なわれる。そのため、固定筒１４とズームカム筒１９には、第２レンズ群１０と第３レンズ群１１の結合用ボス５８に対面する位置に、作業用の穴１４ａ，１９ａがそれぞれ２個ずつ形成されている。
【００２８】
鏡室部４６と移動枠４７とは、プラスチックの射出成形によって形成されている。従来のレンズ支持枠は、鏡室部と移動枠とが一体に形成されていた。そのため、射出成形用の金型に多数のスライド部が必要となるため、コストが上昇し、成形精度が低下するという問題を有していた。この問題を解決するために、本発明は、鏡室部４６と移動枠４７とを別体で構成し、これらを結合させることによってレンズ支持枠４５を形成した。これにより、金型の構造を簡略化されるため、コストを低減することができる。また、成形精度が向上するため、光学性能も向上する。
【００２９】
鏡室部４６の後端面４６ｃには、回転方向において１２０°の等間隔で３個の突条部６５，６６，６７が設けられている。また、移動枠４７の先端側端面には、各突条部６５〜６７にそれぞれ当接する位置に、３個の当接部６８〜７０が形成されている。鏡室部４６の背面図である図６に示すように、突条部６６は、例えば、光軸２１から放射状に配設されたラインａ〜ｉによって分割された基準面６６ａと、第１傾斜面６６ｃ，第２傾斜面６６ｅ，第３傾斜面６６ｇと、これらの間に配置され、各傾斜面間の傾斜を変化させる区間である第１傾斜移行区間面６６ｂ，第２傾斜移行区間面６６ｄ，第３傾斜移行区間面６６ｆ，第４傾斜移行区間面６６ｈとからなる。
【００３０】
ラインａは、垂直方向の基準線Ｘから時計方向に角度θ１（例えば、１°）の角度で配置されている。このラインａを基準に、反時計方向に角度θ２〜θ９によってラインｂ〜ｉが配置され、全体の角度はθ１０とされている。なお、本実施形態では、角度θ２を例えば５°とし、角度θ３，θ５，θ７，θ９は例えば４°、角度θ４，θ６，θ８は例えば８°、角度θ１０が４５°となっている。
【００３１】
なお、突条部６５，６７は、突条部６６と同じ構成であるため詳しい説明は省略するが、突条部６６と同じ角度で分割された基準面６５ａ，６７ａと、第１傾斜面６５ｃ，６７ｃと、第２傾斜面６５ｅ，６７ｅと、第３傾斜面６５ｇ，６７ｇと、これらの間に配置された第１傾斜移行区間面６５ｂ，６７ｂと、第２傾斜移行区間面６５ｄ，６７ｄと、第３傾斜移行区間面６５ｆ，６７ｆと、第４傾斜移行区間面６５ｈ，６７ｈとを備えている。
【００３２】
図７（Ａ）〜（Ｃ）は、各突条部６５〜６７の各面の傾斜方向を表したグラフである。各突条部６５〜６７のラインａ−ｂによって形成される基準面６５ａ，６６ａ，６７ａは、光軸２１に対して垂直な面とされており、各傾斜面は、この基準面６５ａ，６６ａ，６７ａに対して光軸先端方向あるいは光軸後端方向に傾斜されている。鏡室部４６と移動枠４７との成形精度が良い場合には、移動枠４７の各当接部６８〜７０を各基準面に当接させることによって、第２レンズ群１０を適性な傾斜状態とすることができる。
【００３３】
また、図６の時計方向においてラインｃ−ｄによって形成される第１傾斜面６５ｃ，６６ｃ，６７ｃは、突条部６５では光軸先端方向に向けて傾斜され、突条部６６，６７では光軸後端方向に向けて傾斜されている。同様に、ラインｅ−ｆによって形成される第２傾斜面６５ｅ，６６ｅ，６７ｅは、突条部６６では光軸先端方向に、突条部６５，６７では光軸後端方向に傾斜されている。更に、ラインｇ−ｆによって形成される第３傾斜面６５ｇ，６６ｇ，６７ｇは、突条部６７では光軸先端方向に、突条部６５，６６では光軸後端方向に傾斜されている。
【００３４】
そのため、鏡室部４６を図３中において時計方向に回転させ、移動枠４７の各当接部６８〜７０が当接される傾斜面を変更することによって、鏡室部４６の当接部６８〜７０に対応する３か所の位置のいずれか一つが光軸先端方向に、残りの二つが光軸後端方向に移動する。なお、各突条部６６〜６７の傾斜面は、基準面に対する傾斜を形成するために、基準面に対して光軸先端方向及び光軸後端方向に、例えば０．５ｍｍずつ突出されている。
【００３５】
これにより、突条部６５〜６７と当接部６８〜７０との当接状態を確認することにより、鏡室部４６のどの部分がどちらの方向にどれだけ移動しているのかを容易に判定することができる。また、鏡室部４６を回動させるだけで調整を行なうことができるので、複雑な装置や作業に対する熟練等は必要ない。そして、レンズ群１０の傾き調整の作業を簡単に、短時間で高精度に行なうことができるので、ズームレンズ装置３のコストを低減させ、かつ生産性を向上させることができる。また、各レンズ群の傾き調整を高精度に行なうことができるので、これを前提とした難易度の高いレンズ設計も可能となる。
【００３６】
なお、鏡室部４６が光軸方向に僅かに移動しても、係合爪５７が弾性変形してその移動量を吸収するため、係合爪５７と被係合部６０との係合が外れることはない。これにより、調整途中で鏡室部４６から手を離しても、それまでの調整が無駄になることはない。
【００３７】
第３レンズ群１１は、第３レンズ７４と、この第３レンズ７４を支持するレンズ支持枠４９とからなる。レンズ支持枠４９は、第３レンズ７４を支持する鏡室部７５と、この鏡室部７５を支持する移動枠７６とからなる。移動枠７６の外周には、３個のカムフォロワ４１が取り付けられている。移動枠７６は、移動枠４７と同じものが用いられており、部品の共有化によってイニシャルコストの低減が図られている。なお、詳しくは説明しないが、この第３レンズ群１１の鏡室部７５と移動枠７６との間にも、第２レンズ群１０と同様に、係合爪，被係合部，結合用ボス，突条部，当接部が設けられており、鏡室部７５の回動によって第３レンズ７４の光軸２１に対する傾きを調整できるようになっている。
【００３８】
次に、上記ズームレンズ装置の製造方法について説明する。ズームレンズ装置は、例えば、図８のフローチャートに示す第１〜第９の工程によって製造される。第１の工程では、図９及び図１０に示すように、棒状の治具８０に２個の移動枠４７，７６が取り付けられる。治具８０は、プラスチックあるいは金属によって高精度に形成されており、固定筒１４に挿入されて先端側内周面と当接することにより位置決めされる位置決め部８０ａと、２個の移動枠４７，７６を保持するリング保持部８０ｂとからなる。
【００３９】
リング保持部８０ｂは、挿入された移動枠４７，７６が簡単に抜け落ちないように嵌合できる程度の直径を有しており、その外周面には、回転方向に沿う２本の位置決め線８０ｃ，８０ｄと、光軸方向に沿う直線状の位置決め線８０ｅとが設けられている。回転方向に沿う２本の位置決め線８０ｃ，８０ｄは、各移動枠４７，７６の保持位置を表しており、各移動枠４７，７６の端面が合わせられる。直線状の位置決め線８０ｅは、移動枠４７，７６の上部のボス５０の位置を表すとともに、固定筒１４への組み込み時の指標として利用される。
【００４０】
第２工程では、図１０に示すように、固定筒１４内に組み込まれたズームカム筒１９内に治具８０を挿入する。図１１に示すように、固定筒１４内に挿入された治具８０の位置決め部８０ａは、その外周が固定筒１４の先端側内周面に当接することによって、光軸２１方向の挿入量が規制される。また、治具８０の直線状の位置決め線８０ｅが固定筒１４の直進カム溝２５から見えるように治具８０の回転位置を合わせると、治具８０に保持された各移動枠４７，７６のボス５０が、固定筒１４の直進カム溝２５と、ズームカム筒１９のズームカム溝３８，３９とに合致する。また、図１２に示すように、各移動枠４７，７６の各結合用ボス５８は、固定筒１４とズームカム筒１９の作業用の各穴１４ａ，１９ａに対面する。
【００４１】
これにより、固定筒１４の外側から各移動枠４７，７６にカムフォロワ４０，４１を取り付け、ズームカム筒１９内に移動枠４７，７６を支持させることができる。このように、各移動枠４７，７６を治具８０で保持して固定筒１４とズームカム筒１９との内部に取り付けるようにしたので、各筒１４，１９に対する各移動枠４７，７６の取り付け精度が大幅に向上する。
【００４２】
第３工程では、図１２に示すように、第２レンズ４４と第３レンズ７４とをそれぞれ収納した鏡室部４６，７５をズームカム筒１９内の各移動枠４７，７６に挿入し、係合爪５７と被係合部６０とによって仮結合させる。これにより、各筒１４，１９と鏡室部４６，７５との間も高精度に位置決めされるため、第２レンズ群１０及び第３レンズ群１１の光学性能を向上させることができる。
【００４３】
第４工程では、各鏡室部４６，７５を各移動枠４７，７６内で回動させ、光軸２１に対する傾きが調整される。回動された各鏡室部４６，７５は、各突条部６５〜６７と当接部６８〜７０との当接によって各部分が光軸２１の異なる方向に移動されるため、簡単に、また高精度に傾きを調整することができる。
【００４４】
第５工程では、穴１４ａ，１９ａから接着剤のノズルが差し込まれ、移動枠４７，７６の結合用ボス５８の穴５８ａ内に接着剤６２が流し込まれる。この接着剤６２の固化により、鏡室部４６，７５と移動枠４７，７６とが本結合される。その後、第６〜第９工程では、ズームリング２０の取り付けと、固定筒１４へのリレー筒１６の取り付けと、フォーカス筒１５及びフォーカスリング１８の取り付けと、外装筒１７の取り付けとがそれぞれ行なわれ、ズームレンズ装置３が完成する。
【００４５】
なお、上記実施形態では、鏡室部４６の被係合部６０と移動枠４７の係合爪５７とによって仮結合を行なったが、図１３に示すように、鏡室部９０と移動枠８１との外周に突出部９０ａ，９１ａをそれぞれ設け、これらの突出部９０ａ，９１ａを金属の薄板等で形成された弾性体９２で挟み込むことによって両者を結合することもできる。
【００４６】
また、上記実施形態では、鏡室部４６と移動枠４７との本結合に接着剤を使用したが、図１４に示すように、移動枠９５の外周に形成された結合用ボス９５ａ内にネジ９６をねじ込んで鏡室部９７に突き当てて本結合を行なってもよい。また、鏡室部９７の各突条部と移動枠９５の各当接部との当接によって鏡室部９７の傾きを調整した後に、ネジ９６の突出量を加減することによって更に調整を行なってもよい。これによれば、より広い調整範囲を得ることができる。
【００４７】
また、上記各実施形態は、プロジェクタのズームレンズ装置を例に説明したが、本発明は、カメラ等のその他の光学機器にも適用することができる。
【図面の簡単な説明】
【００４８】
【図１】本発明のレンズ装置を使用した画像投映ユニットの構成を示す要部断面図である。
【図２】ズームレンズ装置のズーム関連部品を示す分解斜視図である。
【図３】第２レンズ群の構成を示す分解斜視図である。
【図４】係合爪と被係合部とによる仮結合の状態を示す要部断面図である。
【図５】結合用ボスと接着剤による本結合の状態を示す要部断面図である。
【図６】鏡室部の突条部の配置を示す背面図である。
【図７】各突条部の傾斜面の傾斜方向を示すグラフである。
【図８】ズームレンズ装置の製造手順を示すフローチャートである。
【図９】治具の構成を示す外観斜視図である。
【図１０】治具による移動枠の保持状態を示す外観斜視図である。
【図１１】固定筒及びズームカム筒への治具の挿入状態を示す要部断面図である。
【図１２】移動枠への鏡室部の組み込み方法を示す頭部断面図である。
【図１３】他の実施形態による移動枠と鏡室部との仮結合方法を示す要部断面図である。
【図１４】更に他の実施形態による移動枠と鏡室部との本結合方法を示す要部断面図である。
【符号の説明】
【００４９】
２    画像投映ユニット
３    ズームレンズ装置
１０  第２レンズ群
１１  第３レンズ群
１４  固定筒
１９  ズームカム筒
２５  直進カム溝
３８，３９  ズームカム溝
４０，４１  カムフォロワ
４５，４９  レンズ支持枠
４６，７５  鏡室部
４７，７６  移動枠
５７  係合爪
５８  結合用ボス
６０  被係合部
６５〜６７  突条部
６８〜７０  当接部
８０  治具
【図１】
2006023360.tif 000003
【図２】
2006023360.tif 000004
【図３】
2006023360.tif 000005
【図４】
2006023360.tif 000006
【図５】
2006023360.tif 000007
【図６】
2006023360.tif 000008
【図７】
2006023360.tif 000009
【図８】
2006023360.tif 000010
【図９】
2006023360.tif 000011
【図１０】
2006023360.tif 000012
【図１１】
2006023360.tif 000013
【図１２】
2006023360.tif 000014
【図１３】
2006023360.tif 000015
【図１４】
2006023360.tif 000016